(57)【要約】【課題】他機の電子機器で行われた各操作の入力時点での表示画面を表示する。【解決手段】教師端末１は、生徒端末５との間で通信を行い、当該生徒端末５に入力されたキー操作の手順を受信する通信部４６と、キー操作手順を表示する制御を行うＣＰＵ４５とを備える。ＣＰＵ４５は、生徒端末５をエミュレートすることにより、生徒端末５のキー操作手順内のキー操作ごとに、当該キー操作が生徒端末５に入力された場合に当該生徒端末５で表示される表示画面を、他機操作時表示画面として生成し、表示する制御を行う。【選択図】図１０
2014059421.tif 000002
【特許請求の範囲】
【請求項１】
他機の電子機器との間で通信を行い、当該他機の電子機器に入力されたキー操作の手順である他機キー操作手順を受信する通信手段と、
前記他機キー操作手順を表示する制御を行うキー操作手順表示制御手段と、
前記他機の電子機器をエミュレートすることにより、前記他機キー操作手順内のキー操作ごとに、当該キー操作が前記他機の電子機器に入力された場合に当該他機の電子機器で表示される表示画面を、他機操作時表示画面として生成するキー操作時表示画面生成手段と、
前記他機操作時表示画面を表示する制御を行う他機表示画面表示制御手段と、
を備えることを特徴とする電子機器。
【請求項２】
請求項１記載の電子機器において、
前記通信手段は、
前記他機の電子機器から前記他機キー操作手順を受信する場合に、当該他機の電子機器の記憶手段に記憶されているメモリデータを当該他機の電子機器から受信する他機メモリデータ受信手段、
を有し、
前記キー操作時表示画面生成手段は、
エミュレートされて実現された仮想の前記他機の電子機器における仮想の記憶手段に対し、前記他機メモリデータ受信手段によって受信されたメモリデータを記憶させ、当該仮想の記憶手段に記憶されたメモリデータに基づいて前記他機操作時表示画面を生成することを特徴とする電子機器。
【請求項３】
請求項１または２記載の電子機器において、
前記通信手段は、
複数の前記他機の電子機器から前記他機キー操作手順をそれぞれ受信し、
前記キー操作手順表示制御手段は、
前記他機キー操作手順を、当該他機キー操作手順の送信元の前記他機の電子機器ごとに表示する制御を行い、
前記キー操作時表示画面生成手段は、
各他機の電子機器をエミュレートすることにより、前記他機操作時表示画面を前記他機の電子機器ごとに生成し、
前記他機表示画面表示制御手段は、
前記キー操作手順表示制御手段により表示される前記他機の電子機器ごとの前記他機キー操作手順に対応付けて、各他機操作時表示画面を表示する制御を行うことを特徴とする電子機器。
【請求項４】
請求項３記載の電子機器において、
前記キー操作手順表示制御手段は、
前記他機の電子機器ごとに別々のウィンドウで前記他機キー操作手順を表示する制御を行い、
前記他機表示画面表示制御手段は、
前記他機の電子機器ごとに別々のウィンドウで前記他機操作時表示画面を表示する制御を行い、
当該電子機器は、
ユーザ操作に応じて、前記キー操作手順表示制御手段及び前記他機表示画面表示制御手段により表示されるウィンドウを、最小化された状態と、復元された状態との間で切り替えるウィンドウ表示切替手段を備えることを特徴とする電子機器。
【請求項５】
請求項１〜４の何れか一項に記載の電子機器において、
前記キー操作手順表示制御手段は、
前記他機キー操作手順に含まれるキー操作のうち、データ入力系のキー操作と、データ処理系のキー操作とをそれぞれ識別表示する制御を行うことを特徴とする電子機器。
【請求項６】
他機の電子機器との間で通信を行い、当該他機の電子機器に入力されたキー操作の手順である他機キー操作手順を受信する通信手段を備えるコンピュータに、
前記他機キー操作手順を表示する制御を行うキー操作手順表示制御機能と、
前記他機の電子機器をエミュレートすることにより、前記他機キー操作手順内のキー操作ごとに、当該キー操作が前記他機の電子機器に入力された場合に当該他機の電子機器で表示される表示画面を、他機操作時表示画面として生成するキー操作時表示画面生成機能と、
前記他機操作時表示画面を表示する制御を行う他機表示画面表示制御機能と、
を実現させることを特徴とするプログラム。
【請求項７】
他機の電子機器との間で通信を行い、当該他機の電子機器に入力されたキー操作の手順である他機キー操作手順を受信する通信手段を備えるコンピュータにおける操作手順学習支援方法であって、
前記他機キー操作手順を表示する制御を行うキー操作手順表示制御ステップと、
前記他機の電子機器をエミュレートすることにより、前記他機キー操作手順内のキー操作ごとに、当該キー操作が前記他機の電子機器に入力された場合に当該他機の電子機器で表示される表示画面を、他機操作時表示画面として生成するキー操作時表示画面生成ステップと、
前記他機操作時表示画面を表示する制御を行う他機表示画面表示制御ステップと、
を含むことを特徴とする操作手順学習支援方法。
【発明の詳細な説明】
【技術分野】
【０００１】
本発明は、電子機器、プログラム及び操作手順学習支援方法に関する。
【背景技術】
【０００２】
従来、教育現場では、関数電卓などの電子機器を用いて授業が行われている。
近年、このような電子機器では機器の間でデータ通信が可能となっており、例えば自機が取得したデータを複数の他機に送信して解析を行わせ、他機のそれぞれから解析結果を受信した後、当該解析結果に基づいて他機をグループ分けし、グループ分けの結果を他機に送信することが可能となっている（例えば特許文献１参照）。
【先行技術文献】
【特許文献】
【０００３】
【特許文献１】特開２００４−３５４７２５号公報
【発明の概要】
【発明が解決しようとする課題】
【０００４】
しかしながら、従来の電子機器では、他機の電子機器で行われた操作の結果（上記の例では解析結果）を自機の電子機器で表示することはできるものの、当該結果を表示させるために他機の電子機器で行われた各操作の入力時点での表示画面を自機の電子機器で表示することはできない。そのため、操作手順を学習したいユーザにとっては、操作内容と表示画面とを関連付けることができず、学習効率が低くなってしまう。
【０００５】
本発明の課題は、他機の電子機器で行われた各操作の入力時点での表示画面を表示することのできる電子機器、プログラム及び操作手順学習支援方法を提供することである。
【課題を解決するための手段】
【０００６】
以上の課題を解決するため、本発明は、電子機器において、
他機の電子機器との間で通信を行い、当該他機の電子機器に入力されたキー操作の手順である他機キー操作手順を受信する通信手段と、
前記他機キー操作手順を表示する制御を行うキー操作手順表示制御手段と、
前記他機の電子機器をエミュレートすることにより、前記他機キー操作手順内のキー操作ごとに、当該キー操作が前記他機の電子機器に入力された場合に当該他機の電子機器で表示される表示画面を、他機操作時表示画面として生成するキー操作時表示画面生成手段と、
前記他機操作時表示画面を表示する制御を行う他機表示画面表示制御手段と、
を備えることを特徴とする。
【発明の効果】
【０００７】
本発明によれば、他機の電子機器で行われた各操作の入力時点での表示画面を表示することができる。
【図面の簡単な説明】
【０００８】
【図１】授業支援システムの概略構成を示す図である。
【図２】関数電卓（生徒端末）の機能構成を示すブロック図である。
【図３】パソコン（生徒端末）の機能構成を示すブロック図である。
【図４】パソコン（教師端末）の機能構成を示すブロック図である。
【図５】操作手順送信処理の流れを示すフローチャートである。
【図６】操作手順表示処理の流れを示すフローチャートである。
【図７】端末エミュレータ表示処理の流れを示すフローチャートである。
【図８】（ａ）はキー操作受信対応処理の流れを示すフローチャートであり、（ｂ）はキー操作識別処理の流れを示すフローチャートである。
【図９】生徒端末に記憶されたメモリデータを示す図である。
【図１０】ディスプレイの表示内容を示す図である。
【図１１】ディスプレイの表示内容を示す図である。
【図１２】ディスプレイの表示内容を示す図である。
【図１３】ディスプレイの表示内容を示す図である。
【図１４】ディスプレイの表示内容を示す図である。
【図１５】ディスプレイの表示内容を示す図である。
【図１６】ディスプレイの表示内容を示す図である。
【図１７】ディスプレイの表示内容を示す図である。
【図１８】ディスプレイの表示内容を示す図である。
【図１９】ディスプレイの表示内容を示す図である。
【発明を実施するための最良の形態】
【０００９】
以下、添付図面を参照して本発明に係る実施の形態の一例を詳細に説明する。ただし、発明の範囲は、図示例に限定されない。
【００１０】
［１．授業支援システムの構成］
図１は、本実施の形態における授業支援システム９００の概略構成を示す図である。
この図に示すように、本実施の形態における授業支援システム９００は、関数電卓を用いた授業を支援するためのシステムであり、２つの関数電卓２ａ，２ｂと、２つのパソコン３，４とを備えている。
【００１１】
［２．関数電卓２ａ，２ｂ（生徒端末５ａ，５ｂ）の構成］
図２は、関数電卓２ａ，２ｂの概略的な機能構成を示すブロック図である。
【００１２】
この図に示すように、関数電卓２ａ，２ｂは、表示部２２と、入力部２１と、通信部２６と、記録媒体読取部２７と、記憶部２４と、ＣＰＵ（Central Processing Unit）２５と、を備えて構成されている。
【００１３】
表示部２２は、ディスプレイ２２０を備えており、ＣＰＵ２５からの表示信号に従って各種情報をディスプレイ２２０に表示するようになっている。なお、本実施の形態におけるディスプレイ２２０は、いわゆるタッチパネル２２１と一体的に形成されており、ユーザによるタッチ操作を受け付け可能となっている。
【００１４】
入力部２１は、キー群２１０や上述のタッチパネル２２１を備えており、押下されたキーの種類やタッチパネル２２１の位置に対応する信号をＣＰＵ２５に出力するようになっている。
【００１５】
通信部２６は、パソコン４（後述の教師端末１）との通信が可能となっている。
記録媒体読取部２７は、ＳＤカード等の外部記憶媒体２７ａから情報を読み出したり、当該外部記憶媒体２７ａに情報を記録したりするようになっている。
【００１６】
記憶部２４は、関数電卓２ａ、２ｂの各種機能を実現するためのプログラムやデータを記憶するとともに、ＣＰＵ２５の作業領域として機能するメモリである。この記憶部２４は、操作手順送信プログラム２４０と、メモリデータ２４２と、キー操作データ２４３とを記憶している。
【００１７】
操作手順送信プログラム２４０は、後述の操作手順送信処理（図５参照）をＣＰＵ２５に実行させるためのプログラムである。
【００１８】
メモリデータ２４２は、例えばセットアップデータや、現時点での自機の表示内容に対応するデータ、リストデータ、グラフ式データ、いわゆるビューウインドウ（表示画面）についてのデータ（座標系の表示範囲や目盛間隔についてのデータ）等を含んでいる。
キー操作データ２４３は、キー群２１０の操作手順を示すデータである。
【００１９】
ＣＰＵ２５は、関数電卓２ａ、２ｂの各部を中央制御する。具体的には、ＣＰＵ２５は、記憶部２４に記憶されているシステムプログラム及び各種アプリケーションプログラムの中から指定されたプログラムを展開し、展開されたプログラムとの協働で、各種処理を実行する。
【００２０】
以上の関数電卓２ａ，２ｂは、授業中にそれぞれ別の生徒により生徒端末５として使用されるようになっている。
【００２１】
［３．パソコン３（生徒端末５ｃ）の構成］
図３は、パソコン３の概略的な機能構成を示すブロック図である。
この図に示すように、パソコン３は、表示部３２と、入力部３１と、通信部３６と、記録媒体読取部３７と、記憶部３４と、ＣＰＵ（Central Processing Unit）３５と、を備えて構成されている。
【００２２】
表示部３２は、ディスプレイ３２０を備えており、ＣＰＵ３５からの表示信号に従って各種情報をディスプレイ３２０に表示するようになっている。なお、本実施の形態におけるディスプレイ３２０は、いわゆるタッチパネル３１１と一体的に形成されており、ユーザによるタッチ操作を受け付け可能となっている。
【００２３】
入力部３１は、キー群３１０や上述のタッチパネル３１１を備えており、押下されたキーの種類やタッチパネル３１１の位置に対応する信号をＣＰＵ３５に出力するようになっている。
【００２４】
通信部３６は、パソコン４（後述の教師端末１）との通信が可能となっている。
記録媒体読取部３７は、ＳＤカード等の外部記憶媒体３７ａから情報を読み出したり、当該外部記憶媒体３７ａに情報を記録したりするようになっている。
【００２５】
記憶部３４は、パソコン３の各種機能を実現するためのプログラムやデータを記憶するとともに、ＣＰＵ３５の作業領域として機能するメモリである。本実施の形態においては、記憶部３４は、関数電卓２ａ，２ｂをエミュレートするためのエミュレートプログラム３４０を記憶している。
【００２６】
ＣＰＵ３５は、パソコン３の各部を中央制御する。具体的には、ＣＰＵ３５は、記憶部３４に記憶されているシステムプログラム及び各種アプリケーションプログラムの中から指定されたプログラムを展開し、展開されたプログラムとの協働で、各種処理を実行する。
【００２７】
以上のパソコン３においては、ＣＰＵ３５がエミュレートプログラム３４０を実行することにより、関数電卓２ａ，２ｂをエミュレートするようになっている。これにより、例えば記憶部３４には、エミュレートにより実現された仮想の関数電卓における仮想の記憶部２４のデータエリアが形成される。また、ディスプレイ３２０には、エミュレータウィンドウＷＥ及びキーログウィンドウＷＫ（図１参照）が表示される。そして、エミュレータウィンドウＷＥには、仮想の関数電卓におけるディスプレイ２２０の表示画面やキー群２１０が表示され、キーログウィンドウＷＫには、仮想のキー群２１０に対して行われたキー操作の内容（例えばキートップの画像を示すアイコンなど）がキーログＫとして表示される（図１６の左側部分を参照）。
【００２８】
そして、パソコン３によってエミュレートされた関数電卓は、授業中に生徒によって生徒端末５として使用されるようになっている。
【００２９】
［４．パソコン４（教師端末１）の構成］
図４は、パソコン４の概略構成を示すブロック図である。
【００３０】
この図に示すように、パソコン４は、本発明に係る電子機器であり、表示部４２と、入力部４１と、記憶媒体読取部４７と、通信部４６と、記憶部４４と、ＣＰＵ４５等とを備えて構成されている。
【００３１】
表示部４２は、ディスプレイ４２０を備えており、ＣＰＵ４５から入力される表示信号に基づいて各種情報をディスプレイ４２０に表示するようになっている。なお、本実施の形態におけるディスプレイ４２０は、いわゆるタッチパネル４１１と一体的に形成されており、ユーザによるタッチ操作を受け付け可能となっている。
【００３２】
入力部４１は、キー群４１０や上述のタッチパネル４１１を備えており、押下されたキーの種類やタッチパネル４１１の位置に対応する信号をＣＰＵ４５に出力するようになっている。
【００３３】
記憶媒体読取部４７は、ＳＤカード等の外部記憶媒体４７ａから情報を読み出したり、当該外部記憶媒体４７ａに情報を記録したりするようになっている。
通信部４６は、生徒端末５（関数電卓２ａ，２ｂ、パソコン３）との通信が可能となっている。
【００３４】
記憶部４４は、パソコン４の各種機能を実現するためのプログラムやデータを記憶するとともに、ＣＰＵ４５の作業領域として機能するメモリである。本実施の形態においては、記憶部４４は、本発明に係る操作手順表示プログラム４４０を記憶している。この操作手順表示プログラム４４０は、後述の操作手順表示処理（図６参照）をＣＰＵ４５に実行させるためのプログラムである。なお、本実施の形態における操作手順表示プログラム４４０では、生徒端末５をエミュレートできるようになっている。
【００３５】
また、この記憶部４４には、後述の操作手順表示処理（図６参照）において、生徒端末５ごとに他機データ記憶テーブル４４３が作成されるようになっている。この他機データ記憶テーブル４４３は、対応する生徒端末５から送信されるメモリデータ２４２及びキー操作データ２４３を対応付けて記憶するとともに、当該生徒端末５がエミュレートされる場合に、その仮想の記憶部２４として使用されるようになっている。
【００３６】
ＣＰＵ４５は、パソコン４の各部を中央制御する。具体的には、ＣＰＵ４５は、記憶部４４に記憶されているシステムプログラム及び各種アプリケーションプログラムの中から指定されたプログラムを展開し、展開されたプログラムとの協働で、各種処理を実行する。
【００３７】
以上のパソコン４は、授業中に教師によって教師端末１として使用されるようになっている。
【００３８】
なお、図１に示すように、以上のパソコン４は、プロジェクタ４０２と接続されている。このプロジェクタ４０２は、パソコン４におけるディスプレイ４２０の表示画面を拡大して表示させるものである。なお、このようなプロジェクタ４０２としては、従来より公知のプロジェクタを用いることができる。
【００３９】
［５．生徒端末５の動作］
続いて、生徒端末５によって実行される操作手順送信処理について、図５を参照しつつ説明する。
【００４０】
図５は、操作手順送信処理の動作を説明するためのフローチャートである。なお、この操作手順送信処理は、ユーザにより入力部２１を介して操作手順送信処理の実行指示が入力されると、記憶部２４から操作手順送信プログラム２４０が読み出されて適宜展開される結果、当該操作手順送信プログラム２４０とＣＰＵ２５との協働によって実行される。なお、パソコン３においては、ＣＰＵ３５がエミュレートプログラム３４０を実行し、生徒端末５ｃ（関数電卓２ａ,２ｂ）をエミュレートした状態で、仮想の入力部２１を介して操作手順送信処理の実行指示が入力されると、仮想の記憶部２４から仮想の操作手順送信プログラム２４０が読み出されて適宜展開される結果、当該操作手順送信プログラム２４０と、仮想のＣＰＵ２５との協働によって実行される。このとき、パソコン３のディスプレイ３２０には、エミュレータウィンドウＷＥ及びキーログウィンドウＷＫが表示される。
【００４１】
この図に示すように、操作手順送信処理においては、まずＣＰＵ２５は、ユーザによるキー操作を検知する（ステップＷ１）。なお、このとき行われるキー操作は、１つのキー操作であっても良いし、複数のキー操作であっても良い。
【００４２】
次に、ＣＰＵ２５は、ステップＷ１で検知された一連のキー操作がキー操作データ２４３の送信モードをオン（送信可）にする旨の操作であるか否かを判定する（ステップＷ２）。
【００４３】
このステップＷ２において一連のキー操作がキー操作データ２４３の送信モードをオンにする旨の操作であると判定した場合（ステップＷ２；Ｙｅｓ）には、ＣＰＵ２５は、通信部２６を介して教師端末１に自機の端末識別データを送信するとともに（ステップＷ３）、自機のメモリデータ２４２を送信する（ステップＷ４）。
【００４４】
次に、ＣＰＵ２５は、キー操作データ２４３の送信モードをオン（送信可）に設定し（ステップＷ５）、上述のステップＷ１に移行する。
【００４５】
また、ステップＷ２においてキー操作データ２４３の送信モードをオンにする旨の操作が行われないと判定した場合（ステップＷ２；Ｎｏ）には、ＣＰＵ２５は、現時点でキー操作データ２４３の送信モードがオンになっているか否かを判定し（ステップＷ１１）、オンになっていないと判定した場合（ステップＷ１１；Ｎｏ）には後述のステップＷ１３に移行する。
【００４６】
また、ステップＷ１１においてキー操作データ２４３の送信モードがオンになっていると判定した場合（ステップＷ１１；Ｙｅｓ）には、ＣＰＵ２５は、ステップＷ１で自機のキー群２１０に対して行われた一連のキー操作（１つのみのキー操作を含む）についてのキー操作データ２４３を、通信部２６を介して教師端末１に送信する（ステップＷ１２）。
【００４７】
次に、ＣＰＵ２５は、ステップＷ２で自機のキー群２１０に対して行われた一連のキー操作を自機に入力し、表示画面を更新した後（ステップＷ１３）、上述のステップＷ１に移行する。
【００４８】
なお、生徒端末５ｃにおいては、このステップＷ１３の後にＣＰＵ２５は、自機のキー群２１０に対して行われた一連のキー操作の内容をキーログＫとしてキーログウィンドウＷＫに黒色で表示させ、後述のステップＵ３と同様にしてキー操作識別処理を行った後、ステップＷ１に移行することとしても良い。但し、このとき行われるキー操作識別処理においては、ＣＰＵ２５は、受信したキー操作データ２４３によって特定される一連のキー操作（１つのみのキー操作を含む）の代わりに、自機のキー群２１０に対して行われた一連のキー操作を用いるようになっている。
【００４９】
［６．教師端末の動作］
続いて、教師端末１によって実行される操作手順表示処理について、図６を参照しつつ説明する。
【００５０】
図６は、操作手順表示処理の動作を説明するためのフローチャートである。なお、この操作手順表示処理は、ユーザにより入力部４１を介して操作手順表示処理の実行指示が入力されると、記憶部４４から操作手順表示プログラム４４０が読み出されて適宜展開される結果、当該操作手順表示プログラム４４０とＣＰＵ４５との協働によって実行される。
【００５１】
この図に示すように、操作手順表示処理においては、まずＣＰＵ４５は、通信部４６が生徒端末５から端末識別データを受信したか否を判定する（ステップＳ１）。
【００５２】
このステップＳ１において生徒端末５から端末識別データを受信したと判定した場合（ステップＳ１；Ｙｅｓ）には、ＣＰＵ４５は、端末エミュレータ表示処理を行う（ステップＳ２）。
【００５３】
具体的には、図７に示すように、この端末エミュレータ表示処理においてまずＣＰＵ４５は、端末識別データを受信した生徒端末５をエミュレートするとともに、エミュレートにより実現された仮想の生徒端末５（以下、仮想生徒端末５Ｋとする）の仮想の記憶部２４のデータエリアとして、当該端末識別データに対応する他機データ記憶テーブル４４３を記憶部４４に作成する（ステップＴ１）。
【００５４】
次に、ＣＰＵ４５は、端末識別データを受信した生徒端末５から、当該生徒端末５の記憶部２４に記憶されているメモリデータ２４２を通信部４６によって受信し、ステップＴ１で作成した他機データ記憶テーブル４４３に記憶させる（ステップＴ２）。
【００５５】
次に、ＣＰＵ４５は、端末識別データに対応付けてエミュレータウィンドウＷＥ及びキーログウィンドウＷＫ（図１０参照）をディスプレイ４２０に表示させて、エミュレータウィンドウＷＥに仮想生徒端末５Ｋのディスプレイ２２０やキー群２１０を表示させ（ステップＴ３）、端末エミュレータ表示処理を終了した後、図６に示すように、上述のステップＳ１に移行する。ここで、キーログウィンドウＷＫには、当該キーログウィンドウＷＫに対応する端末識別データの生徒端末５から受信されるキーログＫが、後述のステップＳ４において表示されるようになっているため、これにより、キーログＫが送信元の生徒端末５ごとに表示されることとなる。また、エミュレータウィンドウＷＥ及びキーログウィンドウＷＫが端末識別データに対応付けて表示されるので、これらエミュレータウィンドウＷＥ及びキーログウィンドウＷＫが互いに対応付けて表示されることとなり、その結果、生徒端末５ごとのキーログＫに対応付けて、各仮想生徒端末５Ｋの表示画面が表示されることとなる。
【００５６】
また、ステップＳ１において端末識別データを受信しないと判定した場合（ステップＳ１；Ｎｏ）には、ＣＰＵ４５は、通信部４６が生徒端末５からキー操作データ２４３を受信したか否かを判定する（ステップＳ３）。なお、本実施の形態においては、上述のステップＳ１で端末識別データを受信した生徒端末５のみから、キー操作データ２４３を受信するようになっている。また、このとき受信されるキー操作データ２４３は、１つのキー操作についてのデータであっても良いし、複数のキー操作についてのデータであっても良い。
【００５７】
このステップＳ３においてキー操作データ２４３を受信したと判定した場合（ステップＳ３；Ｙｅｓ）には、ＣＰＵ４５は、当該キー操作データ２４３を、当該キー操作データ２４３の送信元の生徒端末５に対応する他機データ記憶テーブル４４３に記憶させ、キー操作受信対応処理を行う（ステップＳ４）。
【００５８】
具体的には、図８（ａ）に示すように、このキー操作受信対応処理においてまずＣＰＵ４５は、受信したキー操作データ２４３によって特定される一連のキー操作を、当該キー操作データ２４３の送信元の生徒端末５に対応する仮想生徒端末５Ｋに順に入力することにより、当該キー操作が当該生徒端末５（送信元の生徒端末５）に入力された場合に当該生徒端末５で表示される表示画面を他機操作時表示画面として生成し、この他機操作時表示画面に基づいてエミュレータウィンドウＷＥにおける仮想生徒端末５Ｋの表示画面を更新する（ステップＵ１）。これにより、後述のステップＵ２で表示されるキーログＫ内のキー操作ごとに、当該キー操作が該当の生徒端末５に入力された場合の他機操作時表示画面が生徒端末５ごとに生成され、表示されることとなる。なお、このステップＵ１や、後述のステップＳ４２，Ｓ５２においてＣＰＵ４５は、該当の他機データ記憶テーブル４４３に記憶されたメモリデータ２４２に基づいて、他機操作時表示画面を生成するようになっている。
【００５９】
次に、ＣＰＵ４５は、受信したキー操作データ２４３によって特定される一連のキー操作についてのキーログＫを、キーログウィンドウＷＫにおける表示済みのキーログＫに黒色で追加表示させるとともに、その末尾にカーソルＣを移動させた後（ステップＵ２）、キー操作識別処理を行う（ステップＵ３）。
【００６０】
具体的には、図８（ｂ）に示すように、このキー操作識別処理においてまずＣＰＵ４５は、ステップＳ３で受信したキー操作データ２４３によって特定される一連のキー操作がデータ入力系のキー操作であるか否かを判定する（ステップＶ１）。ここで、データ入力系のキー操作とは、データを入力・編集するために行われるキー操作である。
【００６１】
このステップＶ１において一連のキー操作がデータ入力系のキー操作であると判定した場合（ステップＶ１；Ｙｅｓ）には、ＣＰＵ４５は、そのキーログＫをキーログウィンドウＷＫ内で青色に変更して識別表示した後（ステップＶ２）、キー操作識別処理を終了する。
【００６２】
また、ステップＶ１において一連のキー操作がデータ入力系のキー操作ではないと判定した場合（ステップＶ１；Ｎｏ）には、ＣＰＵ４５は、当該一連のキー操作がデータ処理系のキー操作であるか否かを判定する（ステップＶ３）。ここで、データ処理系のキー操作とは、入力されたデータをデータ処理するために行われるキー操作であり、データ処理とは、例えばデータをリストやグラフで表すことである。
【００６３】
このステップＶ３において一連のキー操作がデータ処理系のキー操作であると判定した場合（ステップＶ３；Ｙｅｓ）には、ＣＰＵ４５は、そのキーログＫをキーログウィンドウＷＫ内で赤色に変更して識別表示した後（ステップＶ４）、キー操作識別処理を終了する。
【００６４】
また、ステップＶ３において一連のキー操作がデータ処理系のキー操作ではないと判定した場合（ステップＶ３；Ｎｏ）には、ＣＰＵ４５は、そのキーログＫをキーログウィンドウＷＫ内で黒色のままにしてキー操作識別処理を終了する。
【００６５】
以上のキー操作識別処理が終了したら、図８（ａ），図６に示すように、次にＣＰＵ４５は、キー操作受信対応処理を終了し、上述のステップＳ１に移行する。
【００６６】
また、上述のステップＳ３において生徒端末５からキー操作データ２４３を受信しないと判定した場合（ステップＳ３；Ｎｏ）には、ＣＰＵ４５は、エミュレータウィンドウＷＥまたはキーログウィンドウＷＫを最小化する旨の操作が行われるか否かを判定する（ステップＳ２１）。
【００６７】
このステップＳ２１においてエミュレータウィンドウＷＥまたはキーログウィンドウＷＫを最小化する旨の操作が行われたと判定した場合（ステップＳ２１；Ｙｅｓ）には、ＣＰＵ４５は、操作対象のウィンドウ（エミュレータウィンドウＷＥまたはキーログウィンドウＷＫ）を最小化して表示させた後（ステップＳ２２）、上述のステップＳ１に移行する。
【００６８】
また、ステップＳ２１においてエミュレータウィンドウＷＥまたはキーログウィンドウＷＫを最小化する旨の操作が行われないと判定した場合（ステップＳ２１；Ｎｏ）には、ＣＰＵ４５は、最小化されたウィンドウ（エミュレータウィンドウＷＥまたはキーログウィンドウＷＫ）を開く旨の操作が行われるか否かを判定する（ステップＳ３１）。
【００６９】
このステップＳ３１において最小化されたウィンドウ（エミュレータウィンドウＷＥまたはキーログウィンドウＷＫ）を開く旨の操作が行われたと判定した場合（ステップＳ３１；Ｙｅｓ）には、ＣＰＵ４５は、操作対象のウィンドウ（エミュレータウィンドウＷＥまたはキーログウィンドウＷＫ）を開き、最小化される直前の状態に復元して表示させる（ステップＳ３２）。
【００７０】
次に、ＣＰＵ４５は、現時点で複数のウィンドウ（エミュレータウィンドウＷＥまたはキーログウィンドウＷＫ）が開いて表示されているか否かを判定し（ステップＳ３３）、複数のウィンドウが開いて表示されていないと判定した場合（ステップＳ３３；Ｎｏ）には上述のステップＳ１に移行する。
【００７１】
また、ステップＳ３３において現時点で複数のウィンドウ（エミュレータウィンドウＷＥまたはキーログウィンドウＷＫ）が開いて表示されていると判定した場合（ステップＳ３３；Ｙｅｓ）には、ＣＰＵ４５は、開いて表示されている各ウィンドウを同サイズにして整列して表示させた後（ステップＳ３４）、上述のステップＳ１に移行する。
【００７２】
また、上述のステップＳ３１において最小化されたウィンドウを開く旨の操作が行われないと判定した場合（ステップＳ３１；Ｎｏ）には、ＣＰＵ４５は、キーログウィンドウＷＫ内でカーソルＣの位置を変更する旨の操作が行われるか否かを判定する（ステップＳ４１）。
【００７３】
このステップＳ４１においてキーログウィンドウＷＫのキーログＫ内でカーソルＣの位置を変更する旨の操作が行われたと判定した場合（ステップＳ４１；Ｙｅｓ）には、ＣＰＵ４５は、当該操作に応じてカーソルＣの位置を変更するとともに、当該キーログウィンドウＷＫに対応する端末識別データの仮想生徒端末５Ｋに対し、キーログＫの先頭からカーソルＣの位置までのキー操作を順に入力することにより、当該端末識別データに対応する生徒端末５に当該キー操作が入力された場合の他機操作時表示画面を生成し、この他機操作時表示画面に基づいてエミュレータウィンドウＷＥにおける仮想生徒端末５Ｋの表示画面を更新した後（ステップＳ４２）、上述のステップＳ１に移行する。これにより、キーログＫ内のキー操作ごとに、当該キー操作が該当の生徒端末５に入力された場合の他機操作時表示画面が生徒端末５ごとに生成され、表示されることとなる。
【００７４】
また、ステップＳ４１においてキーログウィンドウＷＫ内でカーソルＣの位置を変更する旨の操作が行われないと判定した場合（ステップＳ４１；Ｎｏ）には、ＣＰＵ４５は、オートプレイを指示する旨の操作が行われるか否かを判定する（ステップＳ５１）。
【００７５】
このステップＳ５１においてオートプレイを指示する旨の操作が行われたと判定した場合（ステップＳ５１；Ｙｅｓ）には、ＣＰＵ４５は、各仮想生徒端末５Ｋに対し、対応するキーログＫのカーソルＣの位置から末尾までのキー操作を順に入力することにより、当該端末識別データに対応する生徒端末５に当該キー操作が入力された場合の他機操作時表示画面を生成し、この他機操作時表示画面に基づいて各エミュレータウィンドウＷＥにおける仮想生徒端末５Ｋの表示画面を順次更新した後（ステップＳ５２）、上述のステップＳ１に移行する。これにより、キーログＫ内のキー操作ごとに、当該キー操作が該当の生徒端末５に入力された場合の他機操作時表示画面が生徒端末５ごとに生成され、表示されることとなる。
【００７６】
また、ステップＳ５１においてオートプレイを指示する旨の操作が行われないと判定した場合（ステップＳ５１；Ｎｏ）には、ＣＰＵ４５は、他の操作が行われるか否かを判定する（ステップＳ６１）。
【００７７】
そして、このステップＳ６１において他の操作が行われないと判定した場合（ステップＳ６１；Ｎｏ）には、ＣＰＵ４５は、上述のステップＳ１に移行し、他の操作が行われたと判定した場合（ステップＳ６１；Ｙｅｓ）には当該操作に応じた他の処理へ移行する。
【００７８】
［７．生徒端末及び教師端末の動作例］
続いて、図面を参照しつつ、上述した生徒端末５や教師端末１の動作を具体的に説明する。なお、以下の動作例においては、必要に応じ、関数電卓２ａ，２ｂとしての生徒端末５を生徒端末５ａ，５ｂとし、パソコン３によりエミュレートされる関数電卓としての生徒端末５を生徒端末５ｃとして区別する。また、生徒端末５ａの端末識別データを「生徒１」とし、生徒端末５ｂの端末識別データを「生徒２」とし、生徒端末５ｃの端末識別データを「生徒３」として説明を行う。更に、以下の動作例においては、図９（ａ）の左側に示すリストデータが生徒端末５ａに入力され、図９（ｂ）の左側に示すリストデータが生徒端末５ｂに入力され、図９（ｃ）の左側に示すリストデータが生徒端末５ｃに入力されることとして説明する。これらのリストデータは、もやし等の植物を植えて観察を行った場合の経過日数と、生育した長さとの関係を示しており、図９の右側に示されるように回帰グラフで近似されるようになっている。
【００７９】
［７．１  動作例１］
まず、生徒端末５ａにおいてユーザがキー操作データ２４３の送信モードをオンにする旨の操作を行うと（ステップＷ１、ステップＷ２；Ｙｅｓ）、教師端末１に対して生徒端末５ａの端末識別データ「生徒１」が送信されるとともに（ステップＷ３）、生徒端末５ａのメモリデータ２４２が送信され（ステップＷ４）、キー操作データ２４３の送信モードがオン（送信可）に設定される（ステップＷ５）。
【００８０】
一方、このとき教師端末１においては、生徒端末５ａから端末識別データ「生徒１」を受信したと判定され（ステップＳ１；Ｙｅｓ）、生徒端末５ａがエミュレートされるとともに、エミュレートにより実現された仮想の生徒端末５ａ（以下、仮想生徒端末５Ｋａとする）の仮想の記憶部２４のデータエリアとして、他機データ記憶テーブル４４３ａが記憶部４４に作成される（ステップＴ１）。次に、生徒端末５ａからメモリデータ２４２が受信され、他機データ記憶テーブル４４３ａに記憶される（ステップＴ２）。そして、図１０（ａ）の右側部分に示すように、端末識別データ「生徒１」に対応付けてエミュレータウィンドウＷＥ及びキーログウィンドウＷＫがディスプレイ４２０に表示されて、エミュレータウィンドウＷＥに仮想生徒端末５Ｋａのディスプレイ２２０やキー群２１０が表示される（ステップＴ３）。なお、この図１０や、後述の図１１等では、エミュレータウィンドウＷＥ内のキー群２１０を省略して表示している。
【００８１】
次に、図１０（ａ）,（ｂ）の左側部分に示すように、生徒端末５ａにおいてユーザがキー操作を行って、図９（ａ）のリストデータを入力すると（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ａに入力され、表示画面が更新される（ステップＷ１３）。
【００８２】
一方、このとき教師端末１においては、生徒端末５ａからキー操作データ２４３を受信したと判定され（ステップＳ３；Ｙｅｓ）、当該キー操作データ２４３が他機データ記憶テーブル４４３ａに記憶された後、受信したキー操作データ２４３によって特定される一連のキー操作が仮想生徒端末５Ｋａに順に入力されることにより、図１０（ａ）,（ｂ）の右側部分に示すように、当該キー操作が生徒端末５ａに入力された場合に当該生徒端末５ａで表示される表示画面が他機操作時表示画面として生成され、この他機操作時表示画面に基づいてエミュレータウィンドウＷＥにおける仮想生徒端末５Ｋａの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ入力系のキー操作であると判定され（ステップＶ１；Ｙｅｓ）、そのキーログＫがキーログウィンドウＷＫ内で青色に変更されて識別表示される（ステップＶ２）。なお、本動作例で参照する図面においては、青色で表示されるキーログＫ（データ入力系のキーログＫ）を破線で囲って図示しており（図１０（ａ）等参照）、赤色で表示されるキーログＫ（データ処理系のキーログＫ）を一点鎖線で囲って図示している（後述の図１２（ａ）等参照）。
【００８３】
次に、図１１（ａ）,（ｂ）の左側部分に示すように、生徒端末５ａにおいてユーザがキー操作を行って統計グラフについてのビューウィンドウ（表示画面）をマニュアルで設定し、座標系の表示範囲（Xmin:0,Xmax:6.3,Ymin:-5,Ymax25）や目盛間隔（scale:1）を入力する旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ａに入力され、表示画面が更新される（ステップＷ１３）。
【００８４】
一方、このとき教師端末１においては、生徒端末５ａからキー操作データ２４３を受信したと判定され（ステップＳ３；Ｙｅｓ）、当該キー操作データ２４３が他機データ記憶テーブル４４３ａに記憶された後、受信したキー操作データ２４３によって特定される一連のキー操作が仮想生徒端末５Ｋａに順に入力されることにより、図１１（ａ）,（ｂ）の右側部分に示すように、当該キー操作が生徒端末５ａに入力された場合に当該生徒端末５ａで表示される表示画面が他機操作時表示画面として生成され、この他機操作時表示画面に基づいてエミュレータウィンドウＷＥにおける仮想生徒端末５Ｋａの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ入力系のキー操作であると判定され（ステップＶ１；Ｙｅｓ）、そのキーログＫがキーログウィンドウＷＫ内で青色に変更されて識別表示される（ステップＶ２）。
【００８５】
次に、図１２（ａ）,（ｂ）の左側部分に示すように、生徒端末５ａにおいてユーザがキー操作を行ってリストデータの散布図を描画させ、直線の回帰グラフを計算させる旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ａに入力され、表示画面が更新される（ステップＷ１３）。なお、図１２（ｂ）の左側部分では、回帰グラフの関数式についてのパラメータの計算結果が図示されている。
【００８６】
一方、このとき教師端末１においては、生徒端末５ａからキー操作データ２４３を受信したと判定され（ステップＳ３；Ｙｅｓ）、当該キー操作データ２４３が他機データ記憶テーブル４４３ａに記憶された後、受信したキー操作データ２４３によって特定される一連のキー操作が仮想生徒端末５Ｋａに順に入力されることにより、図１２（ａ）,（ｂ）の右側部分に示すように、当該キー操作が生徒端末５ａに入力された場合に当該生徒端末５ａで表示される表示画面が他機操作時表示画面として生成され、この他機操作時表示画面に基づいてエミュレータウィンドウＷＥにおける仮想生徒端末５Ｋａの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ処理系のキー操作であると判定され（ステップＶ３；Ｙｅｓ）、そのキーログＫがキーログウィンドウＷＫ内で赤色に変更されて識別表示される（ステップＶ４）。
【００８７】
次に、図１３（ａ）,（ｂ）の左側部分に示すように、生徒端末５ａにおいてユーザがキー操作を行って回帰グラフを散布図内に描画させ、当該回帰グラフをトレースし、トレースポインタＴを移動させてｘ＝６の位置（６日目の植物の生育長さを示す位置）まで移動させる旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ａに入力され、表示画面が更新される（ステップＷ１３）。
【００８８】
一方、このとき教師端末１においては、生徒端末５ａからキー操作データ２４３を受信したと判定され（ステップＳ３；Ｙｅｓ）、当該キー操作データ２４３が他機データ記憶テーブル４４３ａに記憶された後、受信したキー操作データ２４３によって特定される一連のキー操作が仮想生徒端末５Ｋａに順に入力されることにより、図１３（ａ）,（ｂ）の右側部分に示すように、当該キー操作が生徒端末５ａに入力された場合に当該生徒端末５ａで表示される表示画面が他機操作時表示画面として生成され、この他機操作時表示画面に基づいてエミュレータウィンドウＷＥにおける仮想生徒端末５Ｋａの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ処理系のキー操作であると判定され（ステップＶ３；Ｙｅｓ）、そのキーログＫがキーログウィンドウＷＫ内で赤色に変更されて識別表示される（ステップＶ４）。
【００８９】
そして、教師端末１において生徒端末５ａに対応するエミュレータウィンドウＷＥ及びキーログウィンドウＷＫをそれぞれ最小化する旨の操作をユーザが行うと（ステップＳ２１；Ｙｅｓ）、操作対象のウィンドウ（エミュレータウィンドウＷＥ及びキーログウィンドウＷＫ）が最小化して表示される（ステップＳ２２）。
【００９０】
［７．２  動作例２］
まず、上述の動作例１と同様にして、生徒端末５ｂにおいてユーザがキー操作データ２４３の送信モードをオンにする旨の操作を行うと（ステップＷ１、ステップＷ２；Ｙｅｓ）、教師端末１に対して生徒端末５ｂの端末識別データ「生徒２」が送信されるとともに（ステップＷ３）、生徒端末５ｂのメモリデータ２４２が送信され（ステップＷ４）、キー操作データ２４３の送信モードがオン（送信可）に設定される（ステップＷ５）。
【００９１】
一方、このとき教師端末１においては、生徒端末５ｂから端末識別データ「生徒２」を受信したと判定され（ステップＳ１；Ｙｅｓ）、生徒端末５ｂがエミュレートされるとともに、エミュレートにより実現された仮想の生徒端末５ｂ（以下、仮想生徒端末５Ｋｂとする）の仮想の記憶部２４のデータエリアとして、他機データ記憶テーブル４４３ｂが記憶部４４に作成される（ステップＴ１）。次に、生徒端末５ｂからメモリデータ２４２が受信され、他機データ記憶テーブル４４３ｂに記憶される（ステップＴ２）。そして、端末識別データ「生徒２」に対応付けてエミュレータウィンドウＷＥ及びキーログウィンドウＷＫがディスプレイ４２０に表示されて、エミュレータウィンドウＷＥに仮想生徒端末５Ｋｂのディスプレイ２２０やキー群２１０が表示される（ステップＴ３）。
【００９２】
次に、生徒端末５ｂにおいてユーザがキー操作を行って、図９（ｂ）のリストデータを入力すると（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｂに入力され、表示画面が更新される（ステップＷ１３）。
【００９３】
一方、このとき教師端末１においては、生徒端末５ｂからキー操作データ２４３を受信したと判定され（ステップＳ３；Ｙｅｓ）、当該キー操作データ２４３が他機データ記憶テーブル４４３ｂに記憶された後、受信したキー操作データ２４３によって特定される一連のキー操作が仮想生徒端末５Ｋｂに順に入力されることにより、当該キー操作が生徒端末５ｂに入力された場合に当該生徒端末５ｂで表示される表示画面が他機操作時表示画面として生成され、この他機操作時表示画面に基づいてエミュレータウィンドウＷＥにおける仮想生徒端末５Ｋｂの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ入力系のキー操作であると判定され（ステップＶ１；Ｙｅｓ）、そのキーログＫがキーログウィンドウＷＫ内で青色に変更されて識別表示される（ステップＶ２）。
【００９４】
次に、生徒端末５ｂにおいてユーザがキー操作を行って統計グラフについてのビューウィンドウ（表示画面）をマニュアルで設定し、座標系の表示範囲（Xmin:0,Xmax:6.3,Ymin:-5,Ymax25）や目盛間隔（scale:1）を入力する旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｂに入力され、表示画面が更新される（ステップＷ１３）。
【００９５】
一方、このとき教師端末１においては、生徒端末５ｂからキー操作データ２４３を受信したと判定され（ステップＳ３；Ｙｅｓ）、当該キー操作データ２４３が他機データ記憶テーブル４４３ｂに記憶された後、受信したキー操作データ２４３によって特定される一連のキー操作が仮想生徒端末５Ｋｂに順に入力されることにより、当該キー操作が生徒端末５ｂに入力された場合に当該生徒端末５ｂで表示される表示画面が他機操作時表示画面として生成され、この他機操作時表示画面に基づいてエミュレータウィンドウＷＥにおける仮想生徒端末５Ｋｂの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ入力系のキー操作であると判定され（ステップＶ１；Ｙｅｓ）、そのキーログＫがキーログウィンドウＷＫ内で青色に変更されて識別表示される（ステップＶ２）。
【００９６】
次に、図１４の左側部分に示すように、生徒端末５ｂにおいてユーザがキー操作を行ってリストデータの散布図を描画させ、２次関数の回帰グラフを計算させる旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｂに入力され、表示画面が更新される（ステップＷ１３）。
【００９７】
一方、このとき教師端末１においては、生徒端末５ｂからキー操作データ２４３を受信したと判定され（ステップＳ３；Ｙｅｓ）、当該キー操作データ２４３が他機データ記憶テーブル４４３ｂに記憶された後、受信したキー操作データ２４３によって特定される一連のキー操作が仮想生徒端末５Ｋｂに順に入力されることにより、図１４の右側部分に示すように、当該キー操作が生徒端末５ｂに入力された場合に当該生徒端末５ｂで表示される表示画面が他機操作時表示画面として生成され、この他機操作時表示画面に基づいてエミュレータウィンドウＷＥにおける仮想生徒端末５Ｋｂの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ処理系のキー操作であると判定され（ステップＶ３；Ｙｅｓ）、そのキーログＫがキーログウィンドウＷＫ内で赤色に変更されて識別表示される（ステップＶ４）。
【００９８】
次に、図１５（ａ）,（ｂ）の左側部分に示すように、生徒端末５ｂにおいてユーザがキー操作を行って回帰グラフを散布図内に描画させ、当該回帰グラフをトレースし、トレースポインタＴを移動させてｘ＝６の位置（６日目の植物の生育長さを示す位置）まで移動させる旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｂに入力され、表示画面が更新される（ステップＷ１３）。
【００９９】
一方、このとき教師端末１においては、生徒端末５ｂからキー操作データ２４３を受信したと判定され（ステップＳ３；Ｙｅｓ）、当該キー操作データ２４３が他機データ記憶テーブル４４３ｂに記憶された後、受信したキー操作データ２４３によって特定される一連のキー操作が仮想生徒端末５Ｋｂに順に入力されることにより、図１５（ａ）,（ｂ）の右側部分に示すように、当該キー操作が生徒端末５ｂに入力された場合に当該生徒端末５ｂで表示される表示画面が他機操作時表示画面として生成され、この他機操作時表示画面に基づいてエミュレータウィンドウＷＥにおける仮想生徒端末５Ｋｂの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ処理系のキー操作であると判定され（ステップＶ３；Ｙｅｓ）、そのキーログＫがキーログウィンドウＷＫ内で赤色に変更されて識別表示される（ステップＶ４）。
【０１００】
そして、教師端末１において生徒端末５ｂに対応するエミュレータウィンドウＷＥ及びキーログウィンドウＷＫをそれぞれ最小化する旨の操作をユーザが行うと（ステップＳ２１；Ｙｅｓ）、操作対象のウィンドウ（エミュレータウィンドウＷＥ及びキーログウィンドウＷＫ）が最小化して表示される（ステップＳ２２）。
【０１０１】
［７．３  動作例３］
まず、上述の動作例１と同様にして、生徒端末５ｃにおいてユーザがキー操作データ２４３の送信モードをオンにする旨の操作を行うと（ステップＷ１、ステップＷ２；Ｙｅｓ）、教師端末１に対して生徒端末５ｃの端末識別データ「生徒３」が送信されるとともに（ステップＷ３）、生徒端末５ｃのメモリデータ２４２が送信され（ステップＷ４）、キー操作データ２４３の送信モードがオン（送信可）に設定される（ステップＷ５）。
【０１０２】
一方、このとき教師端末１においては、生徒端末５ｃから端末識別データ「生徒３」を受信したと判定され（ステップＳ１；Ｙｅｓ）、生徒端末５ｃがエミュレートされるとともに、エミュレートにより実現された仮想の生徒端末５ｃ（以下、仮想生徒端末５Ｋｃとする）の仮想の記憶部２４のデータエリアとして、他機データ記憶テーブル４４３ｃが記憶部４４に作成される（ステップＴ１）。次に、生徒端末５ｃからメモリデータ２４２が受信され、他機データ記憶テーブル４４３ｃに記憶される（ステップＴ２）。そして、端末識別データ「生徒３」に対応付けてエミュレータウィンドウＷＥ及びキーログウィンドウＷＫがディスプレイ４２０に表示されて、エミュレータウィンドウＷＥに仮想生徒端末５Ｋｃのディスプレイ２２０やキー群２１０が表示される（ステップＴ３）。
【０１０３】
次に、図１６（ａ）の左側部分に示すように、生徒端末５ｃにおいてユーザがキー操作を行って、図９（ｃ）のリストデータを入力すると（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｃに入力され、表示画面が更新される（ステップＷ１３）。
【０１０４】
一方、このとき教師端末１においては、生徒端末５ｃからキー操作データ２４３を受信したと判定され（ステップＳ３；Ｙｅｓ）、当該キー操作データ２４３が他機データ記憶テーブル４４３ｃに記憶された後、受信したキー操作データ２４３によって特定される一連のキー操作が仮想生徒端末５Ｋｃに順に入力されることにより、図１６（ａ）の右側部分に示すように、当該キー操作が生徒端末５ｃに入力された場合に当該生徒端末５ｃで表示される表示画面が他機操作時表示画面として生成され、この他機操作時表示画面に基づいてエミュレータウィンドウＷＥにおける仮想生徒端末５Ｋｃの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ入力系のキー操作であると判定され（ステップＶ１；Ｙｅｓ）、そのキーログＫがキーログウィンドウＷＫ内で青色に変更されて識別表示される（ステップＶ２）。
【０１０５】
次に、図１６（ｂ）の左側部分に示すように、生徒端末５ｃにおいてユーザがキー操作を行って統計グラフについてのビューウィンドウ（表示画面）をマニュアルで設定し、座標系の表示範囲（Xmin:0,Xmax:6.3,Ymin:-5,Ymax25）や目盛間隔（scale:1）を入力する旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｃに入力され、表示画面が更新される（ステップＷ１３）。
【０１０６】
一方、このとき教師端末１においては、生徒端末５ｃからキー操作データ２４３を受信したと判定され（ステップＳ３；Ｙｅｓ）、当該キー操作データ２４３が他機データ記憶テーブル４４３ｃに記憶された後、受信したキー操作データ２４３によって特定される一連のキー操作が仮想生徒端末５Ｋｃに順に入力されることにより、図１６（ｂ）の右側部分に示すように、当該キー操作が生徒端末５ｃに入力された場合に当該生徒端末５ｃで表示される表示画面が他機操作時表示画面として生成され、この他機操作時表示画面に基づいてエミュレータウィンドウＷＥにおける仮想生徒端末５Ｋｃの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ入力系のキー操作であると判定され（ステップＶ１；Ｙｅｓ）、そのキーログＫがキーログウィンドウＷＫ内で青色に変更されて識別表示される（ステップＶ２）。
【０１０７】
次に、図１７（ａ）の左側部分に示すように、生徒端末５ｃにおいてユーザがキー操作を行ってリストデータの散布図を描画させ、直線の回帰グラフを計算させる旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｃに入力され、表示画面が更新される（ステップＷ１３）。
【０１０８】
一方、このとき教師端末１においては、生徒端末５ｃからキー操作データ２４３を受信したと判定され（ステップＳ３；Ｙｅｓ）、当該キー操作データ２４３が他機データ記憶テーブル４４３ｃに記憶された後、受信したキー操作データ２４３によって特定される一連のキー操作が仮想生徒端末５Ｋｃに順に入力されることにより、図１７（ａ）の右側部分に示すように、当該キー操作が生徒端末５ｃに入力された場合に当該生徒端末５ｃで表示される表示画面が他機操作時表示画面として生成され、この他機操作時表示画面に基づいてエミュレータウィンドウＷＥにおける仮想生徒端末５Ｋｃの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ処理系のキー操作であると判定され（ステップＶ３；Ｙｅｓ）、そのキーログＫがキーログウィンドウＷＫ内で赤色に変更されて識別表示される（ステップＶ４）。
【０１０９】
次に、図１７（ｂ）の左側部分に示すように、生徒端末５ｃにおいてユーザがキー操作を行って回帰グラフを散布図内に描画させ、当該回帰グラフをトレースし、トレースポインタＴを移動させてｘ＝６の位置（６日目の植物の生育長さを示す位置）まで移動させる旨の操作を行うと（ステップＷ１）、キー操作データ２４３の送信モードがオンになっていると判定され（ステップＷ１１；Ｙｅｓ）、キー群２１０に対して行われた一連のキー操作についてのキー操作データ２４３が教師端末１に対して送信された後（ステップＷ１２）、当該一連のキー操作が生徒端末５ｃに入力され、表示画面が更新される（ステップＷ１３）。
【０１１０】
一方、このとき教師端末１においては、生徒端末５ｃからキー操作データ２４３を受信したと判定され（ステップＳ３；Ｙｅｓ）、当該キー操作データ２４３が他機データ記憶テーブル４４３ｃに記憶された後、受信したキー操作データ２４３によって特定される一連のキー操作が仮想生徒端末５Ｋｃに順に入力されることにより、図１７（ｂ）の右側部分に示すように、当該キー操作が生徒端末５ｃに入力された場合に当該生徒端末５ｃで表示される表示画面が他機操作時表示画面として生成され、この他機操作時表示画面に基づいてエミュレータウィンドウＷＥにおける仮想生徒端末５Ｋｃの表示画面が更新される（ステップＵ１）。次に、受信したキー操作データ２４３によって特定されるキーログＫがキーログウィンドウＷＫに黒色で追加表示されるとともに、その末尾にカーソルＣが移動される（ステップＵ２）。次に、受信したキー操作データ２４３によって特定される一連のキー操作がデータ処理系のキー操作であると判定され（ステップＶ３；Ｙｅｓ）、そのキーログＫがキーログウィンドウＷＫ内で赤色に変更されて識別表示される（ステップＶ４）。
【０１１１】
そして、教師端末１において生徒端末５ｃに対応するエミュレータウィンドウＷＥ及びキーログウィンドウＷＫをそれぞれ最小化する旨の操作をユーザが行うと（ステップＳ２１；Ｙｅｓ）、操作対象のウィンドウ（エミュレータウィンドウＷＥ及びキーログウィンドウＷＫ）が最小化して表示される（ステップＳ２２）。
【０１１２】
［７．４  動作例４］
以上の動作例１〜３がそれぞれ行われると、図１８（ａ）に示すように、教師端末１では各生徒端末５ａ〜５ｃに対応するエミュレータウィンドウＷＥ及びキーログウィンドウＷＫがそれぞれ最小化して表示される（ステップＳ２２）。
【０１１３】
次に、教師端末１において各生徒端末５ａ〜５ｃのエミュレータウィンドウＷＥを開く旨の操作をユーザが行うと（ステップＳ３１；Ｙｅｓ）、操作対象の各エミュレータウィンドウＷＥが開かれ、最小化される直前の状態に復元されて表示される（ステップＳ３２）。次に、図１８（ｂ）に示すように、現時点で複数のウィンドウが開いて表示されていると判定され（ステップＳ３３；Ｙｅｓ）、開いて表示されている各エミュレータウィンドウＷＥが同サイズにされて整列して表示される（ステップＳ３４）。
【０１１４】
次に、教師端末１において各生徒端末５ａ〜５ｃのキーログウィンドウＷＫを開く旨の操作をユーザが行うと（ステップＳ３１；Ｙｅｓ）、操作対象の各キーログウィンドウＷＫが開かれ、最小化される直前の状態に復元されて表示される（ステップＳ３２）。次に、図１８（ｃ）に示すように、現時点で複数のウィンドウが開いて表示されていると判定され（ステップＳ３３；Ｙｅｓ）、開いて表示されている各エミュレータウィンドウＷＥ及びキーログウィンドウＷＫが同サイズにされて整列して表示される（ステップＳ３４）。
【０１１５】
次に、教師端末１において生徒端末５ａ〜５ｃに対応する各キーログウィンドウＷＫのキーログＫ内で、カーソルＣの位置を散布図の描画指示操作の直後に変更する旨の操作をユーザが行うと（ステップＳ４１；Ｙｅｓ）、当該操作に応じてカーソルＣの位置が変更されるとともに、当該キーログウィンドウＷＫに対応する端末識別データ「生徒１」〜「生徒３」の仮想生徒端末５Ｋａ〜５Ｋｃに対し、キーログＫの先頭からカーソルＣの位置までのキー操作が順に入力されることにより、図１９（ａ）に示すように、生徒端末５ａ〜５ｃに当該キー操作が入力された場合の他機操作時表示画面が生成され、この他機操作時表示画面に基づいてエミュレータウィンドウＷＥにおける仮想生徒端末５Ｋａ〜５Ｋｃの表示画面が更新される（ステップＳ４２）
【０１１６】
そして、教師端末１においてオートプレイを指示する旨の操作をユーザが行うと（ステップＳ５１；Ｙｅｓ）、各仮想生徒端末５Ｋａ〜５Ｋｃに対し、対応するキーログＫのカーソルＣの位置から末尾までのキー操作が順に入力されることにより、図１９（ｂ），（ｃ）に示すように、当該端末識別データに対応する生徒端末５に当該キー操作が入力された場合の他機操作時表示画面が生成され、この他機操作時表示画面に基づいて各エミュレータウィンドウＷＥにおける仮想生徒端末５Ｋの表示画面が順次更新される（ステップＳ５２）。
【０１１７】
以上、本実施の形態によれば、図６のステップＳ４，Ｓ４２，Ｓ５２や図８のステップＵ１、図１０〜図１９等に示したように、生徒端末５に入力されたキー操作の手順がキーログＫとして表示されるとともに、生徒端末５がエミュレートされることにより、キーログＫ内のキー操作ごとに、当該キー操作が生徒端末５に入力された場合に当該生徒端末５で表示される表示画面が他機操作時表示画面として生成されて表示されるので、生徒端末５で行われた各操作の入力時点での表示画面を表示することができる。従って、操作手順を学習したいユーザが操作内容と表示画面とを関連付けて学習することができるため、学習効率を向上させることができる。
【０１１８】
また、図６のステップＳ４，Ｓ４２，Ｓ５２や図８のステップＵ１等に示したように、生徒端末５の記憶部２４に記憶されているメモリデータ２４２が仮想生徒端末５Ｋにおける仮想の記憶部２４に記憶され、当該仮想の記憶部２４に記憶されたメモリデータ２４２に基づいて他機操作時表示画面が生成されるので、生徒端末５の表示画面を正確に表示することができる。
【０１１９】
また、図６のステップＳ１〜Ｓ４や図１８、図１９等に示したように、各キーログウィンドウＷＫにおける生徒端末５ごとのキー操作手順に対応付けて、各他機操作時表示画面がエミュレータウィンドウＷＥに表示されるので、複数の生徒端末５の操作手順及び他機操作時表示画面が表示される場合であっても、操作手順と表示画面との対応関係が分からなくなってしまうのを防止することができる。従って、各生徒端末５での操作手順を、表示画面に基づいて比較することができるため、操作についての理解を深めることができる。
【０１２０】
また、図６のステップＳ２１〜Ｓ３４や図１８、図１９等に示したように、キーログウィンドウＷＫ及びエミュレータウィンドウＷＥを最小化された状態と、復元された状態との間で切り替えることができるので、複数の生徒端末５の操作手順及び他機操作時表示画面が表示される場合であっても、操作手順と表示画面との対応関係が分からなくなってしまうのを確実に防止することができる。
【０１２１】
また、図８のステップＶ１〜Ｖ４や図１０〜図１９等に示したように、他機キー操作手順に含まれるキー操作のうち、データ入力系のキー操作と、データ処理系のキー操作とがそれぞれ識別表示されるので、操作についての理解を深めることができる。
【０１２２】
なお、上記の実施の形態における教師端末１の各構成要素の細部構成及び細部動作に関しては、本発明の趣旨を逸脱しない範囲で適宜変更可能であることは勿論である。
【０１２３】
例えば、本発明に係る電子機器を教師端末１として説明したが、本発明が適用可能なものは、このような製品に限定されず、関数電卓、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る操作手順表示プログラム４４０は、教師端末１に対して着脱可能なメモリカード、ＣＤ等に記憶されることとしてもよい。
【０１２４】
また、生徒端末５のキー群２１０（ハードウェアキー）に行われたキー操作の手順を表示することとして説明したが、タッチパネルに表示されるソフトウェアキーに対する操作の手順を表示することとしてもよい。
【０１２５】
また、端末識別データを受信した生徒端末５から、当該生徒端末５の記憶部２４に記憶されたメモリデータ２４２を受信して他機データ記憶テーブル４４３に記憶させることとして説明したが、記憶部２４に記憶された全てのデータを受信して他機データ記憶テーブル４４３に記憶させることとしても良い。
【０１２６】
また、生徒端末５を本発明における他の電子機器として説明したが、本発明に係る電子機器としても良い。この場合には、生徒端末５は教師端末１と同様の構成を備えて同様の動作を行うこととなる。
【０１２７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
他機の電子機器との間で通信を行い、当該他機の電子機器に入力されたキー操作の手順である他機キー操作手順を受信する通信手段と、
前記他機キー操作手順を表示する制御を行うキー操作手順表示制御手段と、
前記他機の電子機器をエミュレートすることにより、前記他機キー操作手順内のキー操作ごとに、当該キー操作が前記他機の電子機器に入力された場合に当該他機の電子機器で表示される表示画面を、他機操作時表示画面として生成するキー操作時表示画面生成手段と、
前記他機操作時表示画面を表示する制御を行う他機表示画面表示制御手段と、
を備えることを特徴とする電子機器。
＜請求項２＞
請求項１記載の電子機器において、
前記通信手段は、
前記他機の電子機器から前記他機キー操作手順を受信する場合に、当該他機の電子機器の記憶手段に記憶されているメモリデータを当該他機の電子機器から受信する他機メモリデータ受信手段、
を有し、
前記キー操作時表示画面生成手段は、
エミュレートされて実現された仮想の前記他機の電子機器における仮想の記憶手段に対し、前記他機メモリデータ受信手段によって受信されたメモリデータを記憶させ、当該仮想の記憶手段に記憶されたメモリデータに基づいて前記他機操作時表示画面を生成することを特徴とする電子機器。
＜請求項３＞
請求項１または２記載の電子機器において、
前記通信手段は、
複数の前記他機の電子機器から前記他機キー操作手順をそれぞれ受信し、
前記キー操作手順表示制御手段は、
前記他機キー操作手順を、当該他機キー操作手順の送信元の前記他機の電子機器ごとに表示する制御を行い、
前記キー操作時表示画面生成手段は、
各他機の電子機器をエミュレートすることにより、前記他機操作時表示画面を前記他機の電子機器ごとに生成し、
前記他機表示画面表示制御手段は、
前記キー操作手順表示制御手段により表示される前記他機の電子機器ごとの前記他機キー操作手順に対応付けて、各他機操作時表示画面を表示する制御を行うことを特徴とする電子機器。
＜請求項４＞
請求項３記載の電子機器において、
前記キー操作手順表示制御手段は、
前記他機の電子機器ごとに別々のウィンドウで前記他機キー操作手順を表示する制御を行い、
前記他機表示画面表示制御手段は、
前記他機の電子機器ごとに別々のウィンドウで前記他機操作時表示画面を表示する制御を行い、
当該電子機器は、
ユーザ操作に応じて、前記キー操作手順表示制御手段及び前記他機表示画面表示制御手段により表示されるウィンドウを、最小化された状態と、復元された状態との間で切り替えるウィンドウ表示切替手段を備えることを特徴とする電子機器。
＜請求項５＞
請求項１〜４の何れか一項に記載の電子機器において、
前記キー操作手順表示制御手段は、
前記他機キー操作手順に含まれるキー操作のうち、データ入力系のキー操作と、データ処理系のキー操作とをそれぞれ識別表示する制御を行うことを特徴とする電子機器。
＜請求項６＞
他機の電子機器との間で通信を行い、当該他機の電子機器に入力されたキー操作の手順である他機キー操作手順を受信する通信手段を備えるコンピュータに、
前記他機キー操作手順を表示する制御を行うキー操作手順表示制御機能と、
前記他機の電子機器をエミュレートすることにより、前記他機キー操作手順内のキー操作ごとに、当該キー操作が前記他機の電子機器に入力された場合に当該他機の電子機器で表示される表示画面を、他機操作時表示画面として生成するキー操作時表示画面生成機能と、
前記他機操作時表示画面を表示する制御を行う他機表示画面表示制御機能と、
を実現させることを特徴とするプログラム。
＜請求項７＞
他機の電子機器との間で通信を行い、当該他機の電子機器に入力されたキー操作の手順である他機キー操作手順を受信する通信手段を備えるコンピュータにおける操作手順学習支援方法であって、
前記他機キー操作手順を表示する制御を行うキー操作手順表示制御ステップと、
前記他機の電子機器をエミュレートすることにより、前記他機キー操作手順内のキー操作ごとに、当該キー操作が前記他機の電子機器に入力された場合に当該他機の電子機器で表示される表示画面を、他機操作時表示画面として生成するキー操作時表示画面生成ステップと、
前記他機操作時表示画面を表示する制御を行う他機表示画面表示制御ステップと、
を含むことを特徴とする操作手順学習支援方法。
【符号の説明】
【０１２８】
１                教師端末
４５              ＣＰＵ
２２０            ディスプレイ
４４０            操作手順表示プログラム
【図１】
2014059421.tif 000003
【図２】
2014059421.tif 000004
【図３】
2014059421.tif 000005
【図４】
2014059421.tif 000006
【図５】
2014059421.tif 000007
【図６】
2014059421.tif 000008
【図７】
2014059421.tif 000009
【図８】
2014059421.tif 000010
【図９】
2014059421.tif 000011
【図１０】
2014059421.tif 000012
【図１１】
2014059421.tif 000013
【図１２】
2014059421.tif 000014
【図１３】
2014059421.tif 000015
【図１４】
2014059421.tif 000016
【図１５】
2014059421.tif 000017
【図１６】
2014059421.tif 000018
【図１７】
2014059421.tif 000019
【図１８】
2014059421.tif 000020
【図１９】
2014059421.tif 000021